(57)【要約】      （修正有）【課題】発芽した葉菜植物の苗を定植装置への移植作業を簡単且つスムースに行え、苗を損傷せず、自動的に苗の根を水養液内に垂れ下げて浸すことができ、移植作業時に作業者の手を汚すのを防止できる水耕栽培用の定植装置を提供する。【解決手段】養液を収容した定植容器１と、上記定植容器１の開口部に着脱自在に載置した一以上の定植パネル３と、上記定植パネル３の側面に下部が養液に浸された状態で保持される吸水性、保湿性を有する苗床とを備えたことを特徴とする定植装置。【選択図】図３
2020005507.tif 000002
【特許請求の範囲】
【請求項１】
養液を収容した定植容器（１）と、上記定植容器（１）の開口部に着脱自在に載置した一以上の定植パネル（３）と、上記定植パネル（３）の側面に下部が養液に浸された状態で保持される吸水性、保湿性を有する苗床とを備えたことを特徴とする定植装置。
【請求項２】
上記苗床は、相対向する一対の吸水性、保水性を有するシート（５ａ）、（５ｂ）を当接させた給水シート（５）からなり、
上記給水シート（５）は、上記定植パネル（３）に引っ掛けられる吊り下げ具（６）に保持されることを特徴とする請求項１に記載の定植装置。
【請求項３】
上記定植パネル（３）は、板状のパネル本体（３ａ）と、上記パネル本体（３ａ）の正面部に形成された凹溝（３ｂ）と、上記凹溝（３ｂ）の両側に形成した引掛け溝（３ｃ）とを有して構成されており、上記引掛け溝（３ｃ）に上記吊り下げ具（６）が引っ掛けられていることを特徴とする請求項２に記載の定植装置。
【請求項４】
上記定植容器（１）の開口部には、二以上の上記定植パネル（３）、（３）が積載されており、
上記定植パネル（３）は、上記パネル本体（３ａ）の正面部に形成されて水平に張出す少なくとも一対のフック（３ｅ）、（３ｅ）と、背面部に上記フック（３ｅ）、（３ｅ）と対向する位置に形成された一対の係合溝（３ｄ）、（３ｄ）とを有し、
隣り合う二つの上記定植パネル（３）、（３）のうちの一方の定植パネル（３）の上記フック（３ｅ）が他方の定植パネル（３）の上記係合溝（３ｄ）に嵌合されていることを特徴とする請求項１、２、又は３に記載の定植装置。
【請求項５】
上記引掛け溝（３ｃ）は、上記フック（３ｅ）の背面部に上記凹溝（３ｂ）に向けて形成されていることを特徴とする請求項３に従属する請求項４に記載の定植装置。
【請求項６】
上記吊り下げ具（６）が支持板（６ａ）と、上記支持板（６ａ）の側面から突出して上記給水シート（５）を貫通する一つ又は複数の突起（６ｂ）と、上記支持板の上端に設けた引掛け部（６ｃ）とを有して構成されていることを特徴とする請求項２、或いは、請求項２に従属する請求項３、４、又は５に記載の定植装置。
【請求項７】
上記引掛け部（６ｃ）が上記支持板（６ａ）の上端に水平に取り付けたロッド又は上記支持板（６ａ）の上端両側に張出すフックで構成されていることを特徴とする請求項６に記載の定植装置。
【発明の詳細な説明】
【技術分野】
【０００１】
本発明は、発芽装置で発芽させた水菜、小松菜、リーフレタス、サラダ菜、その他の葉菜植物の苗を移植させて生育させる水耕栽培用の定植装置、特にほうれん草の栽培にも利用できる定植装置に関するものである。
【背景技術】
【０００２】
近年、例えば、葉菜類植物の栽培には、播種―発芽―定植―収穫までの一連の工程に対応できる産業用のみならず家庭用の水耕栽培装置が開発されるようになっている。
【０００３】
このうち、育苗床である発芽装置で播種―発芽させた葉菜植物の苗を育苗床から切り取った単一の苗床に保持した状態で移植させる定植装置として、例えば、特許文献１に開示されているタイプのものが使用されている。
この特許文献１に開示されている定植装置は養液を収容した水槽と、水槽の上部に浮かして設けた定植板と、定植板に形成した複数の定植孔とから構成されている。
そして、苗を定植板に移植させる時、定植孔内に予め発芽させた葉菜植物の苗を保持させたポリウレタンフォームからなる苗床（培地）をそれぞれ挿入させ、根を水養液中に垂れ下げるようにしているものである。
【先行技術文献】
【特許文献】
【０００４】
【特許文献１】特開２０１７−１２１２１３号公報（図面、段落０００７、段落００１５参照）
【発明の概要】
【発明が解決しようとする課題】
【０００５】
上記の特許文献１に示す定植装置には特に機能上の欠陥があるわけではないが、次のような不具合の改善が望まれている。
【０００６】
すなわち、特許文献１に示す定植装置では苗の移植時に定植板に形成した定植孔に一つずつポリウレタンフォーム製の苗床を挿入する作業が必要であるからその移植作業が面倒であること、
苗床の直径と定植孔の直径とは必ずしも同一ではないので、苗床の定植孔に対する位置合わせが難しく、強制的に苗床を定植孔に挿入すると、苗床を破損させたり、苗を損傷させる恐れがあること、等の不具合がある。
【０００７】
そこで、本発明の目的は、発芽した葉菜植物の苗を定植装置への移植作業を簡単且つスムースに行え、苗を損傷させるのを防止できる水耕栽培用の定植方法及び定植装置を提供することである。）
【課題を解決するための手段】
【０００８】
上記の目的を達成させるため、本発明の定植装置は、養液を収容した定植容器と、上記定植容器の開口部に着脱自在に載置した一以上の定植パネルと、上記定植パネルの側面に下部が養液に浸された状態で保持される吸水性、保湿性を有する苗床とを備えたことを特徴とする。
【発明の効果】
【０００９】
本発明の定植装置によれば、次のような特有の効果を達成できる。
（Ａ）発芽装置で発芽させた苗を定植装置へ移植する際、苗床を定植パネルの側面に保持させれば済む。このため、発芽した葉菜植物の苗を定植装置への移植する作業を簡単且つスムースに行える。
Ｂ）また、苗床を定植パネルの定植孔に押し込む必要もないので、苗の損傷も防止できる。
【図面の簡単な説明】
【００１０】
【図１】本発明の第一の実施の形態に係る定植装置の縦断面図である。
【図２】本発明の第二の実施の形態に係る定植装置の斜視図である。
【図３】図２のＹ−Ｙ線縦断背面図である。
【図４】図２のＸ−Ｘ線縦断側面図である。
【図５】定植パネルとホルダーの分解斜視図である。
【図６】発芽装置の斜視図である。
【発明を実施するための形態】
【００１１】
以下に本発明の各実施の形態について、図１〜図６を参照しながら説明する。
【００１２】
本発明は葉菜植物の水耕栽培に適する定植装置に関するものである。
【００１３】
葉菜植物の水耕栽培では播種―発芽―定植の工程を経て収穫の工程に進むが
本発明の各実施の形態に係る定植装置はこのうちの少なくとも、定植から収穫までの工程で利用される）ものである。
【００１４】
第一の実施の形態に係る定植装置は、図１に示すように、養液Ｗを収容した定植容器（図示せず）と、この定植容器の開口部に着脱自在に載置した定植板である定植パネルＰと、吸水性、保水性を有する苗床Ｓとこの苗床Ｓを保持する吊り下げ具ＲとからなるホルダーＱとを備え、上記苗床Ｓに播種させさせた種子Ｕ又は発芽させた苗を保持させた状態で上記吊り下げ具Ｒを上記定植パネルＰの側面に吊り下げたことを特徴とするものである。
【００１５】
そして、この定植装置を使用して実施する本発明の定植方法は、図１に示すように、吸水性、保水性を有する苗床Ｓと、苗床Ｓを保持した吊り下げ具Ｒとを備えたホルダーＱを予め用意しておく。
次に、苗床Ｓに種子Ｕを保持させながら当該苗床Ｓを吊り下げ具Ｒを介して定植パネルＰの側面に吊り下げて苗床Ｓの下部を栽培ベッド（図示せず）内の養液Ｗに浸すものである。
この場合、苗床Ｓを定植パネルＰの側面に吊り下げておき、この状態で苗床Ｓに播種させても良く、又は最初から苗床Ｓに播種させておき、その後で吊り下げ具Ｒを介して定植パネルＰの側面に吊り下げ、その後発芽から育成を経過させて収穫までこの状態を維持させるもである。
他方、本発明では、予め育苗床で播種して発芽させた苗を育苗床から切り取った単一の苗床Ｓを保持させながらこの苗床を吊り下げ具Ｒを介して定植パネルＰの側面に吊り下げて移植しても良い。
上記の定植方法の実施に使用する苗床Ｓは公知の種子挿入用のポットを備えたポリウレタンフォーム、種子挿入用の切り込みを備えたポリウレタンフォーム、又は二枚のシートを当接させて両者の間に種子挿入用の隙間を形成している給水シートで構成しても良い。
次に、本発明に係る第二の実施の形態に係る定植装置Ｔについて説明する。
この定植装置Ｔは第一の実施の形態に係る定植装置の苗床として、給水シートを利用したものである。
この定植装置Ｔは図２〜図６）に示すように、養液２を収容した栽培べっドとして使用される定植容器１と、定植容器１の開口部に着脱自在に載置した複数の定植パネル３（定植板）と、定植パネル３に取り外し自在に吊り下げるホルダー４とを備えている。
定植パネル３は板状のパネル本体３ａと、パネル本体３ａの正面部（図５の右側面部）に形成した一つ又は複数の凹溝３ｂと、凹溝３ｂの両側に形成した引掛け溝３ｃ、３ｃとで構成されている。
【００１６】
ホルダー４は相対向する一対の吸水性、保水性を有するシート５ａ、５ｂを当接させた苗床としての給水シート５と、給水シート５を保持した吊り下げ具６とで構成されている。
【００１７】
この場合、二枚のシート５ａ、５ｂの当接方法は、二枚のシート５ａ、５ｂのほぼ中間部を水平方向に沿って任意の間隔を置いて部分的に接合したり、或いは、播種された種子の落下は防止するが発芽した苗の根が延びた時この根の延びを阻害しない程度に接触させておくものである。
【００１８】
この実施の形態に係る定植装置Ｔは、例えば、別の発芽装置を利用して上記各シート５ａ、５ｂ間の隙間内で発芽させた苗ＰＡを保持した状態で上記給水シート５を上記凹溝３ｂ内に収容しながら上記吊り下げ具６を上記引掛け溝３ｃに引掛けて当該給水シート５の下部を上記定植容器１の養液２内に吊り下げて浸すものである。
【００１９】
上記定植パネル３は一つだけ定植容器１内に設け、この単一の定植パネル３にホルダー４を介して葉菜植物の苗ＰＡを一つ吊り下げても良いが、図２、図５に示すように二つ以上の定植パネル３を結合して水平方向に連続して載置し、それぞれの定植パネル３、３間に苗ＰＡを吊り下げて多量生産に対応させるのが好ましい。
この場合は図５に示すように、それぞれのパネル本体３ａの正面部に形成して凹溝３ｂの両側から水平に張出す少なくとも一対のフック３ｅ、３eと、背面部にフック３ｅ、３ｅと対向する位置に形成した一対の係合溝３ｄ、３ｄとを設け、一方の、例えば、図５における左側の定植パネル３のフック３ｅを他方の右側の定植パネル３の係合溝３ｄに嵌合して二つの定植パネル３、３を結合し、少なくとも二つ以上の定植パネル３、３を平行に並べて定植容器１の開口部に載置するようになっている。
上記引掛け溝３ｃは図５に示すように、上記フック３ｅの背面部に上記凹溝３ｂに向けて形成している。
この引掛け溝３ｃ、３ｃに後述する吊り下げ具６を引掛けた時ホルダー４が凹溝３ｂ内に吊り下げられるようになっている。
【００２０】
定植装置Ｔは図６に示す発芽装置Ｈで発芽させた葉菜植物の苗ＰＡをホルダー４が保持したまま移植させ、栽培収穫まで管理させるものである。
【００２１】
この場合、ホルダー４は発芽装置Ｈから定植装置Ｔまで連続して同じものをそのまま使用している。
【００２２】
このホルダー４は図５、図６に示すように、相対向する一対の吸水性、保水性を有するシート５ａ、５ｂを当接させて部分的に接合した給水シート５と、給水シート５を保持した吊り下げ具６とで構成されている。
吊り下げ具６は支持板６ａと、支持板６ａの側面から突出して給水シート５を貫通する一つ又は複数の突起６ｂと、支持板６ａの上端に設けた引掛け部６ｃとで構成されている。
引掛け部６ｃは支持板６ａの上端に水平に取り付けたロッドで構成されているが、支持板６ａの上端両側に張出すフックで構成しても良い。
ところで、上記した発芽装置Ｈは図６に示すように、発芽容器７と、発芽容器７内に吊り下げたホルダー４とを備え、シート５ａ、５ｂ間に葉菜植物の種子を播種させた後にシート５ａ、５ｂに所定量の水を含浸させて発芽させるものである。
そして、図６に示すように、ホルダー４内で発芽した葉菜植物の苗ＰＡはホルダー４ごと発芽容器７内から引き揚げられ、そのまま本発明の定植装置Ｔに持ち込まれ、後述するように定植パネル３に吊り下げることで葉菜植物の苗ＰＡが移植される。
即ち、本発明の定植装置Ｔでは、先ず図６に示すように、発芽装置Ｈから葉菜植物の苗ＰＡをホルダー４に保持させたまま引き揚げ、次いでこの引き上げたホルダー４を図５に示すように定植装置Ｔに持ち込むものである。
次いで、吊り下げ具６に保持された給水シート５と苗ＰＡを定植パネル３の凹溝３ｂ内に収容させ、この状態で、吊り下げ具６における引掛け部６ｃを一対の引掛け溝３ｃに引掛け、給水シート５と苗ＰＡの根ＰＢを養液２に侵入させる。
この場合、定植パネル３が一つの場合は、一つの定植パネル３の凹溝３ｂ内に給水シート５を吊り下げるだけで良い。
他方、定植パネル３を多数並べてそれぞれの定植パネル３にそれぞれ苗ＰＡを吊り下げて多数移植させる場合は、例えば、図５における左側の一方の定植パネル３の凹溝３ｂに苗ＰＡを収容した後、右側の他方の定植パネル３の係合溝３ｄに左側の定植パネル3のフック３ｅを係合させ、二つの定植パネル３、３を一対水平な状態で結合させなら苗ＰＡを両側の定植パネル３、３間に吊り下げ、この状態を図４に示すように連続して定植パネル３を接続すれば良い。
上記のようにホルダー４を介して葉菜植物の苗ＰＡを定植装置Ｔ内に吊り下げた時給水シート５、又は給水シート５と葉菜植物の苗ＰＡの根ＰＢが養液２に浸入し、根ＰＢが直接又は給水シート５を介して養液２を吸収し、生育される。
上記の実施の形態に係る定植装置では発芽装置で発芽させた苗を定植パネル３に移植させているが、最初から給水シート５を定植パネル３に吊り下げておき、この状態で播種ー発芽―定植ー栽培の一連の工程を連続して良い。
【００２３】
以上のように本発明の定植装置Ｔによれば、育苗床である発芽装置Ｈで発芽させた葉菜植物の苗ＰＡを定植パネルＰ又は３にホルダーＱ又は４を介して吊り下げるだけで移植作業を行えるので移植作業を簡単且つスムースに行える。
苗ＰＡを定植パネルＰ又は３に吊り下げるだけ移植できるので無理に定植パネルＰ又は３に押し込む必要が無く、その結果苗ＰＡの損傷を防止できる。
苗ＰＡを吊り下げた時自動的に苗ＰＡの根ＰＢを養液Ｗ又は２内に垂れ下げることができ、根ＰＢを養液Ｗ又は２内に侵入させる作業が不要である。
ホルダーＱ又は４を介して苗ＰＢ（Ａ）を吊り下げるので、移植時に苗ＰＡの根ＰＢに付着している塵等が作業者の手に付着するのが防止できる。
苗ＰＡを保持したホルダーＱ又は４は独立して定植パネルＰ又は３内に複数吊り下げできるので、それぞれの苗ＰＡとホルダーＱ又は４を独立して管理できる。
【００２４】
さらに、成長した葉菜植物を定植装置Ｔから取り外す際、葉菜植物の根が成長に伴い太くなっていたとしても、定植パネル３、３を分解すれば、容易に根を定植装置Ｔから取り外すことができる。
【符号の説明】
【００２５】
１  定植容器
２、Ｗ  養液
３、Ｐ  定植パネル
３ａ  パネル本体
３ｂ  凹溝
３ｃ  引掛け溝
３ｄ  係合溝
３ｅ  フック
４、Ｑ  ホルダー
５  給水シート
５ａ、５ｂ  シート
６、Ｒ  吊り下げ具
６ａ  支持板
６ｂ  突起
６ｃ  引掛け部
Ｃ  種子
Ｓ  苗床
【図１】
2020005507.tif 000003
【図２】
2020005507.tif 000004
【図３】
2020005507.tif 000005
【図４】
2020005507.tif 000006
【図５】
2020005507.tif 000007
【図６】
2020005507.tif 000008